(57)【要約】【課題】簡単な構造であっても外れ難く、しかも、インナーを被せた切断部がむれたりかぶれたりし難く、また、インナー内部からの空気漏れによって不快な音を発することがなく、使用者が快適に使用できる義肢を提供する。【解決手段】足や手の切断部Ｓに装着される義肢１０であって、切断部Ｓに被せられる袋状のインナー２０と、インナー２０を被せた切断部Ｓが挿嵌される挿嵌部３１を有し、インナー２０を介して切断部Ｓに装着されるソケット３０と、一定方向に傾斜する毛羽立った繊維からなり、インナー２０の内面と、インナー２０の外面またはソケット３０の挿嵌部３１の内面の少なくとも一方の面とに設けられた繊維層４０とを備え、繊維層４０は、インナー２０の内面においては奥側へと傾斜し、インナー２０の外面においては開口側へと傾斜し、ソケット３０の挿嵌部３１の内面においては奥側へと傾斜するものである。【選択図】図１
2010012117.tif 000002
【特許請求の範囲】
【請求項１】
足や手の切断部に装着される義肢であって、
前記切断部に被せられる袋状のインナーと、
該インナーを被せた前記切断部が挿嵌される挿嵌部を有し、前記インナーを介して前記切断部に装着されるソケットと、
一定方向に傾斜する毛羽立った繊維からなり、前記インナーの内面と、前記インナーの外面または前記ソケットの前記挿嵌部の内面の少なくとも一方の面とに設けられた繊維層と
を備え、
前記繊維層は、前記インナーの内面においては該インナーの奥側へと傾斜し、前記インナーの外面においては該インナーの開口側へと傾斜し、前記ソケットの前記挿嵌部の内面においては該挿嵌部の奥側へと傾斜するものである
ことを特徴とする義肢。
【請求項２】
前記インナーの外面及び前記ソケットの前記挿嵌部の内面の双方に前記繊維層が設けられていることを特徴とする請求項１に記載の義肢。
【請求項３】
前記インナーは、内部に気泡を含むゴム生地によって形成されていることを特徴とする請求項１または請求項２に記載の義肢。
【発明の詳細な説明】
【技術分野】
【０００１】
本発明は、義肢に関するものであり、詳しくは、足や手の切断部に被せられるインナーと、このインナーを介して切断部に装着されるソケットとを有する義肢に関するものである。
【背景技術】
【０００２】
足の切断部に装着される義足、手の切断部に装着される義手といった義肢としては、種々のものが案出されており、その代表的な例を図３に示す。
【０００３】
この義肢１は、足、より具体的には下腿に装着される義肢１であり、切断部Ｓに被せられるインナー２と、このインナー２を介して切断部Ｓに装着されるソケット３とを有するものである。ここで、インナー２は、合皮等の適宜の材料によって切断部Ｓに合わせた形状に成形されている。また、ソケット３は、切断部Ｓに合わせた形状に成形されると共にインナー２を被せた切断部Ｓが挿嵌される挿嵌部３ａを具備する形態で、繊維強化樹脂等の適宜の材料によって形成されている。
【０００４】
ところで、このような義肢１では、ソケット３の挿嵌部３ａからインナー２が簡単に抜けたり、切断部Ｓに被せたインナー２が簡単に脱げてしまうため、切断部Ｓに装着した義肢１が切断部Ｓから簡単に外れてしまう。よって、従来の義肢１では、ソケット３にベルト４等を設け、このベルト４等を切断部Ｓの上部（本例では膝）等に固定することで、切断部Ｓに装着された義肢１が外れることを防止していた。
【０００５】
上記背景技術は、一般的になされている事項であり、本願出願人は、出願時において、この背景技術が記載された文献を特に知見していない。
【発明の開示】
【発明が解決しようとする課題】
【０００６】
従来の義肢では、上述のように、インナーやソケットとは別途のベルト等の器具を用いて切断部に装着した義肢が外れることを防止するため、雑多な構造となる。また、ベルト等の器具が使用者の動きの邪魔になる。
【０００７】
なお、インナーの先端、及び、ソケットの挿嵌部の奥端の夫々に連結金具を設け、この連結金具によってインナーとソケットとを連結するようにした義肢も案出されているが、このような義肢でも、内部の構造が雑多となる。また、ソケットの挿嵌部の奥端部分に連結金具を配置するためのスペースが必要であるが、切断部の長さは人によって異なり、連結金具の配置スペースを確保できない場合があり、汎用性に劣る。しかも、連結金具の連結操作及び解除操作が面倒である。さらには、インナーの先端が連結金具によって引っ張られ、切断部の先端が引っ張られるような感じで、使用に際して不快感を生じるさせることがあり、また、切断部の先端を常に引っ張ることとすると、切断部の肉を痩せさせてしまう。
【０００８】
一方、インナーをシリコン樹脂等の柔軟な素材によって形成し、インナーを切断部やソケットの挿嵌部の内面に密着させることで切断部に装着した義肢が外れ難くなるようにした義肢も案出されている。このような義肢は、別途の器具を必要とせず、簡単な構造でもって義肢を外れ難くすることができるが、このような義肢では、インナーが切断部に密着することから、インナーを被せた切断部がむれたりかぶれたりして、使用者に不快感を生じさせる。また、切断部によってインナー内部が密閉されるため、使用者の動きによってインナー内部の空気が漏れた時に不快な音を発する場合あり、使用者に不快感を生じさせる。
【０００９】
本発明は、上記実情を鑑みてなされたものであり、簡単な構造であっても外れ難く、しかも、インナーを被せた切断部がむれたりかぶれたりし難く、また、インナー内部からの空気漏れによって不快な音を発することがなく、使用者が快適に使用できる義肢の提供を課題とする。
【課題を解決するための手段】
【００１０】
上記課題を解決するために本発明の採った主要な手段は、
「足や手の切断部に装着される義肢であって、
前記切断部に被せられる袋状のインナーと、
該インナーを被せた前記切断部が挿嵌される挿嵌部を有し、前記インナーを介して前記切断部に装着されるソケットと、
一定方向に傾斜する毛羽立った繊維からなり、前記インナーの内面と、前記インナーの外面または前記ソケットの前記挿嵌部の内面の少なくとも一方の面とに設けられた繊維層と
を備え、
前記繊維層は、前記インナーの内面においては該インナーの奥側へと傾斜し、前記インナーの外面においては該インナーの開口側へと傾斜し、前記ソケットの前記挿嵌部の内面においては該挿嵌部の奥側へと傾斜するものである
ことを特徴とする義肢」
である。
【００１１】
ここで、インナーの内面や外面に繊維層を設ける場合には、一定方向に傾斜する毛羽立った繊維を表面に有する起毛素材をインナーの内面や外面に貼着してもよく、或いは、インナー自体を起毛素材によって形成してもよい。また、ソケットの挿嵌部に繊維層を設ける場合には、挿嵌部の内面に起毛素材を貼着すればよい。
【００１２】
上記構成の義肢では、インナーの内面に繊維層が設けらており、この繊維層は、繊維がインナーの奥側へと傾斜するものであるため、切断部に被せたインナーが脱げ難くなる。具体的に説明すると、インナーから切断部が抜けようとすると、繊維層の繊維が起立して所謂「逆毛」となり、インナーから切断部が抜けようとしても、逆毛の繊維が抵抗となる。よって、切断部に被せたインナーが脱げ難くなる。
【００１３】
なお、繊維層の毛羽立った繊維は、切断部にインナーを被せる際には倒れて所謂「順毛」となるため大きな抵抗とならない。よって、切断部にインナーを被せるに際しては、インナーに切断部を円滑に挿入することができる。
【００１４】
また、上記構成の義肢では、インナーの外面またはソケットの挿嵌部の内面の少なくとも一方の面にも繊維層が設けられている。そして、繊維層の毛羽立った繊維は、インナーの外面においてはインナーの開口側へと傾斜し、ソケットの挿嵌部の内面においては挿嵌部の奥側へと傾斜している。換言すれば、繊維層の毛羽立った繊維は、インナーを被せた切断部をソケットの挿嵌部に挿入する際には倒れて順毛となり、インナーを被せた切断部をソケットから抜脱する際には起立して逆毛となるように、一定方向に傾斜している。よって、繊維層が、上述のインナーの内面の繊維層と同様に機能して、インナーを被せた切断部がソケットの挿嵌部から抜け難くなる。一方、インナーを被せた切断部をソケットの挿嵌部に挿入する際には、繊維層が大きな抵抗とはならないことから、円滑に挿入することができる。
【００１５】
このように、上記構成の義肢によれば、表面の毛羽立った繊維が一定方向に傾斜する繊維層を設けるだけの簡単な構成によって、切断部に被せたインナーを切断部から脱げ難くすることができ、インナーを被せた切断部をソケットの挿嵌部から抜け難くすることができる。すなわち、簡単な構成によって、切断部に装着した義肢を外れ難くすることができる。
【００１６】
ところで、一定方向に傾斜する毛羽立った繊維では、表面に接触する部材を繊維が起き上がる方向に移動させようとするといった現象を生じる。よって、義肢を装着した使用者が動作すると、切断部にインナーがより深く被さり、ソケットにインナーがより挿入されて、装着具合が良好となる。よって、この点において、本発明によれば、外れ難いばかりでなく、使用者が動作する度に装着状態が良好となる使用性に優れた義肢を実現することができる。
【００１７】
一方、繊維層は、毛羽立った繊維からなるものであることから、内面に繊維層を有するインナーを切断部に被せても、切断部にインナーの内面が密着しない。よって、切断部に密着するシリコン樹脂製のインナーのように、ムレやカブレが生じ難く、使用者は、本発明に係る義肢を快適に使用することができる。また、インナーが切断部に密着するものでないことから、当然、インナーに切断部を挿入しても、インナーの内部は密閉されない。よって、インナー内部の空気漏れによる不快な音が発生することはなく、この点においても、使用者は、本発明に係る義肢を快適に使用することができる。
【００１８】
上述した手段において、
「前記インナーの外面及び前記ソケットの前記挿嵌部の内面の双方に前記繊維層が設けられていることを特徴とする義肢」
とするのが好適である。
【００１９】
上記構成の義肢では、インナーの外面とソケットの挿嵌部の内面との双方に起毛材が設けられているため、ソケットの挿嵌部からインナーが抜けようとしても、インナーの繊維層の繊維及びソケットの繊維層の繊維の双方が逆毛となり、ソケットからインナーが、より一層、抜く難くなる。しかも、インナー外面の繊維層の繊維とソケット内面の繊維層の繊維とが絡み合うため、より一層、抜脱抑制効果が高まる。
【００２０】
上述した手段において、
「前記インナーは、内部に気泡を含むゴム生地によって形成されていることを特徴とする義肢」
とするのが好適である。
【００２１】
内部に気泡を含むゴム生地としては、クロロプレンゴム製の生地を例示することができるが、このような生地は、ウェットスーツ等に使用される生地であり、伸縮性に優れ、また、保温性に優れるものである。
【００２２】
このようなゴム生地によってインナーを形成することで、使用者が痩せたり太ったりして切断部の形状が変化しても、インナーを切断部に良好にフィットさせることができる。また、インナーの厚さ方向の弾性変形によって、インナーを被せた切断部にソケットの挿嵌部を良好にフィットさせることができる。さらに、切断部は、血の巡りが悪く、冷えがちになるのであるが、保温性に優れる生地にてインナーを形成することで、切断部の冷えを防止することができる。
【発明の効果】
【００２３】
上述した通り、本発明によれば、簡単な構造であっても外れ難く、しかも、インナーを被せた切断部がむれたりかぶれたりし難く、また、インナー内部からの空気漏れによって不快な音を発することがなく、使用者が快適に使用できる義肢を提供することができる。
【発明を実施するための最良の形態】
【００２４】
図１に、本発明に係る義肢の一例を示す。なお、本例では、義肢１０として、膝下の下腿を切断した使用者が使用する義足を例示するが、本発明は、下腿に限らず、下肢や上肢、或いは指等、他の切断部Ｓに装着される義肢１０に適用することができるものである。
【００２５】
義肢１０は、切断部Ｓに被せられるインナー２０と、インナー２０を介して切断部Ｓに装着されるソケット３０とを具備するものとして構成されている。なお、ソケット３０は、繊維強化樹脂製であり、図１においてはソケット３０の全体形状を省略してあるが、ソケット３０の全体形状については、図３に示した従前の例と同様であり、使用者の切断部Ｓに合わせた形状に成形され、インナー２０を被せた切断部Ｓが挿嵌される挿嵌部３１を有する形態となっている。
【００２６】
また、インナー２０の全体形状も、図３に示した従前の例と同様であるが、本例では、インナー２０が、内部に気泡を含むゴム生地、より具体的にはクロロプレンゴム製の生地によって形成されている。また、インナー２０は、ゴム生地の縫着によって、使用者の切断部Ｓの形状に合わせた袋状に形成されている。
【００２７】
なお、本例では、インナー２０を構成するゴム生地として、２〜５ｍｍのものを採用しており、使用者の切断部Ｓの形状が、ある程度、変化した場合でも、切断部Ｓとソケット３０内面と間においてインナー２０が柔軟に弾性変形することで、ソケット３０が切断部Ｓに的確にフィットするようにしてある。また、２ｍｍ以上のゴム生地からなるインナー２０によって、切断部Ｓが冷えることを的確に抑制できるようにしてある。
【００２８】
ところで、本例の義肢１０においては、インナー２０の内面及び外面、並びに、ソケット３０の挿嵌部３１の内面に、表面が毛羽立った繊維からなる起毛素材が貼着されており、この起毛素材の毛羽立った繊維によって繊維層４０が構成されている。なお、図示では、繊維層４０の繊維を、理解し易いように誇張してあるが、実際には、１〜２ｍｍの繊維である。
【００２９】
起毛素材としては、毛羽立った繊維が一定方向に傾斜するタイプのものを採用しており、繊維層４０を設ける部分に応じて以下のように繊維が傾斜するように、インナー２０の内外面やソケット３の挿嵌部３１の内面に起毛素材が貼着されている。
【００３０】
すなわち、インナー２０の内面においては、繊維が、基端から先端にかけて、袋状のインナー２０の奥側に向かって傾斜するように、換言すれば、インナー２０に切断部Ｓを挿入する方向（図１の矢印Ａ）に傾斜するようにしてある。また、インナー２０の外面においては、繊維が、基端から先端にかけて、袋状のインナー２０の開口側に向かって傾斜するように、換言すれば、ソケット３０にインナー２０を挿入する方向（図１の矢印Ｂ）とは逆方向に傾斜するようにしてある。さらに、ソケット３０の挿嵌部３１の内面においては、繊維が、基端から先端にかけて、挿嵌部３１の奥側に向かって傾斜するように、換言すれば、ソケット３０にインナー２０を挿入する方向（図１の矢印Ｂ）に傾斜するようにしてある。
【００３１】
このような繊維層４０が設けられた義肢１０を切断部Ｓに装着すると、図２に示すように、インナー２０の内面の繊維層４０の繊維は、インナー２０から切断部Ｓが抜ける方向に対して逆毛となり、切断部Ｓからインナー２０が脱げ難くなる。また、インナー２０の外面の繊維層４０の繊維及びソケット３０の挿嵌部３１の内面の繊維層４０の繊維は、夫々、ソケット３０からインナー２０が抜ける方向に対して逆毛となり、ソケット３０からインナー２０が抜け難くなる。よって、義肢１０全体では、切断部Ｓから外れ難いものとなる。
【００３２】
一方、切断部Ｓにインナー２０を被せる際、換言すれば、切断部Ｓをインナー２０に挿入する際、及び、ソケット３０にインナー２０を挿入する際には、インナー２０の内外面の繊維層４０の繊維及びソケット３０の内面の繊維層４０の繊維が、夫々、順毛となるため、繊維層４０が挿入の支障となることはない。
【００３３】
なお、図２においては、理解し易いように、切断部Ｓとインナー２０とを、並びに、インナー２０とソケット３０とを、夫々、大きく離間して図示してあるが、実際には、相互に接触するものである。特に、インナー２０外面の繊維層４０の繊維とソケット３０内面の繊維層４０の繊維は、実際には、ソケット３０にインナー２０を挿入した状態において相互に絡み合う。しかも、使用者が動作すればするほど複雑に絡み合う。よって、この点においても、ソケット３０からインナー２０が抜け難くなる。
【００３４】
以上、本発明に係る義肢１０の一例を説明したが、本発明に係る義肢１０は、上述の例に限らず、本発明の要旨を逸脱しない範囲で、適宜の変更が可能である。
【００３５】
例えば、ソケット３０とインナー２０との間において、ソケット２０の内面またはインナー３０の外面の一方の面に繊維層４０を設けることで、ソケット３０からインナー２０を抜け難くすることもできる。この場合には、他方の面を、平滑面とするのではなく、繊維層４０の繊維が引っかかり易い粗面とするのが好適である。
【００３６】
ソケット３０の内面に繊維層４０を設ける場合、内部に気泡を含んだゴム生地、例えばクロロプレンゴム製の生地の表面に起毛素材が貼着されてなる生地材を用いて、この生地材をソケット３０の内面に貼着することとしてもよい。このような態様では、ソケット３０の内面に配設されたゴム生地が弾性変形して使用者の切断部Ｓの形状にフィットするため、インナー２０の厚みを薄くすることができる。そして、インナー２０を薄くすることで、切断部Ｓに装着し易いインナー２０を実現することができる。また、インナー２０を薄くすることで、使用者に、切断部Ｓに被せたインナー２０の違和感を生じさせ難くすることができる。
【図面の簡単な説明】
【００３７】
【図１】本発明に係る義肢の一例を示す断面側面図である。
【図２】図１に示した義肢を切断部に装着した状態を示す要部の断面側面図である。
【図３】従来の義肢の一例を示す斜視図である。
【符号の説明】
【００３８】
１  従来の義肢
２  インナー
３  ソケット
３ａ  挿嵌部
４  ベルト
１０  義肢
２０  インナー
３０  ソケット
３１  挿嵌部
４０  繊維層
【図１】
2010012117.tif 000003
【図２】
2010012117.tif 000004
【図３】
2010012117.tif 000005